【手続補正書】
【提出日】平成20年3月27日(2008.3.27)
【手続補正１】
【補正対象書類名】明細書
【補正対象項目名】発明の名称
【補正方法】変更
【補正の内容】
【発明の名称】システム、サーバ装置、方法、プログラム及びプログラム格納媒体
【手続補正２】
【補正対象書類名】明細書
【補正対象項目名】特許請求の範囲
【補正方法】変更
【補正の内容】
【特許請求の範囲】
【請求項１】
ユーザ端末と、当該ユーザ端末が所定のサービスを利用するための設定をしている際に、当該サービスに関する付加的な付加的サービスを上記ユーザ端末へ提供するサーバ装置とにより構成されたシステムであって、
上記ユーザ端末は、
上記付加的サービスの提供要求を上記サーバ装置へ送信する要求手段と、
上記サーバ装置から提供された上記サービスの紹介情報を入力するための紹介情報入力データを上記サーバ装置から受信する受信手段と、
上記受信手段によって受信された上記紹介情報入力データに基づいて上記紹介情報を入力する入力手段と、
上記入力手段によって入力された上記紹介情報を上記サーバ装置へ送信する送信手段と
を具え、
上記サーバ装置は、
上記ユーザ端末から上記付加的サービスの提供要求を受信したとき、上記紹介情報入力データを上記ユーザ端末へ提供する提供手段と、
上記ユーザ端末から上記紹介情報を受信する受信手段と、
上記紹介情報を含むウェブページを生成し、当該ウェブページを所定のサイトにおけるトップページに掲載するトップページ生成手段と、
上記付加的サービスの利用に対する課金を行う課金手段と
を具えるシステム。
【請求項２】
上記トップページ生成手段は、
上記紹介情報として上記サービスに関するタイトル及び当該サービスに関する画像を掲載する
請求項１に記載のシステム。
【請求項３】
上記トップページ生成手段は、
上記タイトル及び上記画像に加えて上記サービスの配信日時を掲載する
請求項２に記載のシステム。
【請求項４】
所定のサービスを利用するための設定をしている際に、当該サービスに関する付加的な付加的サービスをユーザ端末へ提供するサーバ装置において、
上記ユーザ端末から上記付加的サービスの提供要求を受信したとき、上記サービスの紹介情報を入力するための紹介情報入力データを上記ユーザ端末へ提供する提供手段と、
上記ユーザ端末から上記紹介情報を受信する受信手段と、
上記紹介情報を含むウェブページを生成し、当該ウェブページを所定のサイトにおけるトップページに掲載するトップページ生成手段と、
上記付加的サービスの利用に対する課金を行う課金手段と
を具えるサーバ装置。
【請求項５】
上記サービスは、上記ユーザ端末から受信したコンテンツをネットワークを介してクライアントへ配信することである
請求項４に記載のサーバ装置。
【請求項６】
上記コンテンツを上記クライアントへ配信する際の配信チャンネル及び配信日時の予約を上記ユーザ端末から受け付ける予約受付手段を更に具え、
上記トップページ生成手段は、上記コンテンツに関するタイトル、画像及び上記配信日時を掲載する
請求項５に記載のサーバ装置。
【請求項７】
ユーザ端末が所定のサービスを利用するための設定をしている際に、当該サービスに関する付加的な付加的サービスを上記ユーザ端末へ提供するサーバ装置の方法において、
上記ユーザ端末から上記付加的サービスの提供要求を受信したとき、上記サービスの紹介情報を入力するための紹介情報入力データを提供手段によって上記ユーザ端末へ提供する提供ステップと、
上記ユーザ端末からの上記紹介情報を受信手段によって受信する受信ステップと、
トップページ生成手段によって上記紹介情報を含むウェブページを生成し、当該ウェブページを所定のサイトにおけるトップページに掲載するトップページ生成ステップと、
課金手段によって上記付加的サービスの利用に対する課金を行う課金ステップと
を有するサーバ装置の方法。
【請求項８】
上記サービスは、上記ユーザ端末から受信したコンテンツをネットワークを介してクライアントへ配信することである
請求項７に記載のサーバ装置の方法。
【請求項９】
上記コンテンツを上記クライアントへ配信する際の配信チャンネル及び配信日時の予約を予約受付手段によって上記ユーザ端末から受け付ける予約受付ステップを更に具え、
上記トップページ生成ステップでは、上記コンテンツに関するタイトル、画像及び上記配信日時を掲載する
請求項８に記載のサーバ装置の方法。
【請求項１０】
コンピュータに、
ユーザ端末から所定のサービスに関する付加的な付加的サービスの提供要求を受信したとき、上記サービスの紹介情報を入力するための紹介情報入力データを上記ユーザ端末へ提供する提供ステップと、
上記ユーザ端末からの上記紹介情報を受信する受信ステップと、
上記紹介情報を含むウェブページを生成し、当該ウェブページを所定のサイトにおけるトップページに掲載するトップページ生成ステップと、
上記付加的サービスの利用に対する課金を行う課金ステップと
を実行させるプログラム。
【請求項１１】
上記サービスは、上記ユーザ端末から受信したコンテンツをネットワークを介してクライアントへ配信することである
請求項１０に記載のプログラム。
【請求項１２】
上記コンテンツを上記クライアントへ配信する際の配信チャンネル及び配信日時の予約を上記ユーザ端末から受け付ける予約受付ステップを更に具え、
上記トップページ生成ステップでは、上記コンテンツに関するタイトル、画像及び上記配信日時を掲載する
請求項１１に記載のプログラム。
【請求項１３】
ユーザ端末から所定のサービスに関する付加的な付加的サービスの提供要求を受信したとき、上記サービスの紹介情報を入力するための紹介情報入力データを上記ユーザ端末へ提供する提供ステップと、
上記ユーザ端末からの上記紹介情報を受信する受信ステップと、
上記紹介情報を含むウェブページを生成し、当該ウェブページを所定のサイトにおけるトップページに掲載するトップページ生成ステップと、
上記付加的サービスの利用に対する課金を行う課金ステップと
を有するプログラムをコンピュータに実行させるプログラム格納媒体。
【請求項１４】
上記サービスは、上記ユーザ端末から受信したコンテンツをネットワークを介してクライアントへ配信することである
請求項１３に記載のプログラム格納媒体。
【請求項１５】
上記コンテンツを上記クライアントへ配信する際の配信チャンネル及び配信日時の予約を上記ユーザ端末から受け付ける予約受付ステップを更に具え、
上記トップページ生成ステップでは、上記コンテンツに関するタイトル、画像及び上記配信日時を掲載する
請求項１４に記載のプログラム格納媒体。
【手続補正３】
【補正対象書類名】明細書
【補正対象項目名】０００８
【補正方法】変更
【補正の内容】
【０００８】
【課題を解決するための手段】
かかる課題を解決するため本発明においては、ユーザ端末から所定のサービスに関する付加的な付加的サービスの提供要求を受信したとき、サービスの紹介情報を入力するための紹介情報入力データをユーザ端末へ提供し、ユーザ端末からの紹介情報を受信すると、紹介情報を含むウェブページを生成し、当該ウェブページを所定のサイトにおけるトップページに掲載し、付加的サービスの利用に対する課金を行うようにしたことにより、サービスの紹介情報が含まれたウェブページをサイトのトップページに掲載して提供することが出来るので、紹介情報を介して所定のサービスに対する利用を一段と促進させることができる。
【手続補正４】
【補正対象書類名】明細書
【補正対象項目名】０３１３
【補正方法】変更
【補正の内容】
【０３１３】
【発明の効果】
上述のように本発明によれば、ユーザ端末から所定のサービスに関する付加的な付加的サービスの提供要求を受信したとき、サービスの紹介情報を入力するための紹介情報入力データをユーザ端末へ提供し、ユーザ端末からの紹介情報を受信すると、紹介情報を含むウェブページを生成し、当該ウェブページを所定のサイトにおけるトップページに掲載し、付加的サービスの利用に対する課金を行うようにしたことにより、サービスの紹介情報が含まれたウェブページをサイトのトップページに掲載して提供することが出来るので、紹介情報を介して所定のサービスに対する利用を一段と促進させることができ、かくして所定のサービスを一段と多くのユーザに利用させ得るシステム、サーバ装置、方法、プログラム及びプログラム格納媒体を実現することができる。